(57)【特許請求の範囲】
【請求項１】
給湯機の運転操作をするための複数の操作スイッチを備え、各操作スイッチに給湯機の予め定められた動作を行わせる機能が予め割り当てられた給湯機用リモコン装置であって、予め定められた複数の機能の中から一つの機能を選択して割り当て設定可能とした二つのカスタマイズ用操作スイッチと、前記二つのカスタマイズ用操作スイッチまたはその近傍で割り当てられた機能を示す表示部とを有したものにおいて、前記二つのカスタマイズ用操作スイッチの予め定められた一方は、デフォルトで温度上昇を連想させる機能が割り当てられていると共に、予め定められた温度低下を連想させる機能の割り当て設定が禁止され、かつ前記二つのカスタマイズ用操作スイッチの他方は、デフォルトで温度低下を連想させる機能が割り当てられていると共に、予め定められた温度上昇を連想させる機能の割り当て設定が禁止されていることを特徴とする給湯機用リモコン装置。
【請求項２】
予め定められた温度上昇を連想させる機能のうちの一つは、ふろ設定温度を上昇させる機能で、予め定められた温度低下を連想させる機能のうちの一つは、ふろ設定温度を低下させる機能であり、前記二つのカスタマイズ用操作スイッチの一方に、ふろ設定温度を上昇させる機能が割り当てられると、残る他方に、ふろ設定温度を低下させる機能を強制的に割り当て、あるいは、前記二つのカスタマイズ用操作スイッチの他方に、ふろ設定温度を低下させる機能が割り当てられると、残る一方に、ふろ設定温度を上昇させる機能を強制的に割り当てるようにしたことを特徴とする請求項１記載の給湯機用リモコン装置。
【請求項３】
前記二つのカスタマイズ用操作スイッチの一方には、温度上昇を連想させるマークまたはカラーが予め印刷によって付与され、他方には、温度低下を連想させるマークまたはカラーが予め印刷によって付与されていることを特徴とする請求項１または２に記載の給湯機用リモコン装置。
【発明の詳細な説明】
【技術分野】
【０００１】
本発明は、給湯機の運転操作を行うための給湯機用リモコン装置に関するものである。
【背景技術】
【０００２】
従来よりもこの種の給湯機用リモコンにおいては、特許文献１のように、デフォルトで所定の機能が割り当てられた露出状態の操作スイッチに、非露出状態の操作スイッチの機能等のデフォルトの機能とは別の機能を割り当て可能とし、当該操作スイッチに変更設定して割り当てた機能の名称を示す表示部を設けて、変更した操作スイッチの機能を識別できるようにしたものがあった。
【先行技術文献】
【特許文献】
【０００３】
【特許文献１】特開２００２−１７１５８３号公報
【発明の概要】
【発明が解決しようとする課題】
【０００４】
しかしながら、この従来のものでは、デフォルトで割り当てられている機能と、変更設定で割り当てた機能とが相反する機能であると、例えば、デフォルトが浴槽へ低温の湯水を差し水して浴水温度を低下させる差し水機能で、変更設定で割り当てられた機能が浴槽へ高温の湯を差し湯して浴水温度を上昇させる高温差し湯機能であった場合、機能名称を示す表示部が不調になったり、表示部がシールであってこのシールが剥がれてしまうと、機能が判別できなくなったり、デフォルト機能の差し水の名称が露わになり、シールが剥がれたという事情を知らないユーザーが差し水だと思って操作スイッチを操作した際に、変更設定で割り当てられている高温差し湯機能が作動し、浴槽に高温の湯が注がれてしまい、想定外の湯の温度にユーザーが危険を感じてしまう事態が発生し得るものであった。
【０００５】
そこで本発明は、操作スイッチの割り当て機能を変更設定可能としたものにおいて、機能名称を示すシールが剥がれたり、機能名称を表示する表示部が不調になったとしても、ユーザーが危険を感じてしまう事態に至らないようにすることを目的とする。
【課題を解決するための手段】
【０００６】
上記課題を解決するため、本発明は、給湯機の運転操作をするための複数の操作スイッチを備え、各操作スイッチに給湯機の予め定められた動作を行わせる機能が予め割り当てられた給湯機用リモコン装置であって、予め定められた複数の機能の中から一つの機能を選択して割り当て設定可能とした二つのカスタマイズ用操作スイッチと、前記二つのカスタマイズ用操作スイッチまたはその近傍で割り当てられた機能を示す表示部とを有したものにおいて、前記二つのカスタマイズ用操作スイッチの予め定められた一方は、デフォルトで温度上昇を連想させる機能が割り当てられていると共に、予め定められた温度低下を連想させる機能の割り当て設定が禁止され、かつ前記二つのカスタマイズ用操作スイッチの他方は、デフォルトで温度低下を連想させる機能が割り当てられていると共に、予め定められた温度上昇を連想させる機能の割り当て設定が禁止されているものとした。
【０００９】
また、予め定められた温度上昇を連想させる機能のうちの一つは、ふろ設定温度を上昇させる機能で、予め定められた温度低下を連想させる機能のうちの一つは、ふろ設定温度を低下させる機能であり、前記二つのカスタマイズ用操作スイッチの一方に、ふろ設定温度を上昇させる機能が割り当てられると、残る他方に、ふろ設定温度を低下させる機能を強制的に割り当て、あるいは、前記二つのカスタマイズ用操作スイッチの他方に、ふろ設定温度を低下させる機能が割り当てられると、残る一方に、ふろ設定温度を上昇させる機能を強制的に割り当てるようにした。
【００１０】
また、前記二つのカスタマイズ用操作スイッチの一方には、温度上昇を連想させるマークまたはカラーが予め印刷によって付与され、他方には、温度低下を連想させるマークまたはカラーが予め印刷によって付与されているものとした。
【発明の効果】
【００１１】
本発明によれば、ユーザーがよく使う機能を指定して給湯機用リモコン装置の前面に露出しているカスタマイズ用操作スイッチに割り当てられるため、ユーザーがよく使う機能をダイレクトに操作でき、従来は多様なユーザーの嗜好に合わせて必須でない機能が割り当てられた多数の操作スイッチを設けなければならなかったのが、必須でない機能が割り当てられた操作スイッチの数を減らすことができて、給湯機用リモコン装置のスイッチ全体の配置が理解しやすくなって操作性を向上させることができると共に、万一、機能を示す表示部が不調になったり、表示シールが剥がれてしまったりして、割り当てられている機能と、表示されている機能が異なっている場合または割り当てられている機能がわからなくなった場合でも、一方のカスタマイズ用操作スイッチには温度低下を連想させる機能の割り当てが禁止され、かつ他方のカスタマイズ用操作スイッチには温度上昇を連想させる機能の割り当てが禁止されているため、一方のカスタマイズ用操作スイッチの操作では常に温度低下方向の動作が行われることがなく、また他方のカスタマイズ用操作スイッチの操作では常に温度上昇方向の動作が行われることがなく、機能を示す表示部が不調になったり、表示シールが剥げても予期しない高温の湯が供給されたり、予期しない低温の水が供給されたりすることがなく安心して使用することができるものである。
【図面の簡単な説明】
【００１２】
【図１】本発明の一実施形態の概略構成図
【図２】同一実施形態の給湯機用リモコンを示す図
【図３】メインリモコンメニューを説明するための図
【図４】メインリモコンのスイッチカスタマイズ時の動作を説明するためのフローチャート
【図５】ふろリモコンのメニューを説明するための図
【図６】ふろリモコンのスイッチカスタマイズ時の動作を説明するためのフローチャート
【発明を実施するための形態】
【００１３】
次に、本発明の一実施形態を図面に基づいて説明する。
１は湯水を貯湯するステンレス製の貯湯タンク、２は貯湯タンク１底部に市水を給水する給水管、３は貯湯タンク１上部から出湯する出湯管、４は給水管２から分岐された給水バイパス管、５は出湯管３からの湯水と給水バイパス管４からの水とを給湯設定温度になるように混合する給湯混合弁、６は給湯混合弁５で混合された湯が流通する給湯管、
７は給湯管６からの湯を給湯する給湯栓、８は出湯管３からの湯水と給水バイパス管４からの水とをふろ設定温度になるように混合するふろ混合弁、９はふろ混合弁８で混合された湯が流通する湯張り管である。
【００１４】
１０は給湯管６途中に設けられ給湯温度を検出する給湯温度センサ、１１は給湯管６途中に設けられ給湯流量を検出する給湯流量センサ、１２は湯張り管９途中に設けられ湯張り温度を検出する湯張り温度センサ、１３は湯張り管９途中に設けられ湯張り流量を検出する湯張り流量センサ、１４は給水管２に設けられ市水の給水圧を一定の圧力に減圧する減圧弁、１５は貯湯タンク１内の過圧を逃がす過圧逃がし弁である。
【００１５】
１６は浴槽、１７は貯湯タンク１内の上部に設けられ貯湯タンク１内の湯の熱で浴槽水を加熱するためのふろ熱交換器、１８は浴槽１６とふろ熱交換器１７とを浴槽水が循環可能に接続するふろ循環回路、１９はふろ循環回路１８途中に設けられ浴槽水を循環させるふろ循環ポンプ、２０はふろ循環回路１８に接続された湯張り管９途中に設けられ湯張り管９を開閉する湯張り開閉弁、２１はふろ熱交換器１７をバイパスしてふろ循環回路１８を接続するふろバイパス管、２２はふろバイパス管２１とふろ循環回路１８の接続点に設けられ、浴槽水をふろ熱交換器１７側を循環させるか、ふろバイパス管２１側を循環させるかを切り換えるふろ三方弁、２３はふろ循環回路１８途中に設けられ浴槽１６からふろ熱交換器１７へ流れる浴槽水の温度を検出するふろ温度センサ、２４はふろ循環回路１８途中に設けられ浴槽１６内の水位を検出するふろ水位センサである。ここで、風呂熱交換器２２はステンレス管を螺旋状に巻回した構成としている。
【００１６】
２５は貯湯タンク１下部の湯水を外部のヒートポンプ式加熱手段２９へ導出するヒーポン往き管、２６はヒートポンプ式加熱手段２９を通過した湯水を貯湯タンク１上部へ導入するヒーポン戻り管、２７は貯湯タンク１の側面の上下方向に複数設けられた貯湯温度センサ、２８はこれら構成部品を収容する貯湯タンクユニットである。
【００１７】
２９は貯湯タンク１の湯水を加熱するヒートポンプ式加熱手段で、冷媒を圧縮する圧縮機３０と、水側にヒーポン往き管２５とヒーポン戻り管２６とが接続され冷媒と水とを熱交換する冷媒水熱交換器３１と、冷媒の圧力を減圧する減圧器３２と、液冷媒を蒸発させる蒸発器３３と、蒸発器３３に熱源となる外気を供給する送風手段３４と、冷媒水熱交換器３１の水側にヒーポン往き管２５からの湯水を供給する加熱循環ポンプ３５と、冷媒水熱交換器３１へ流入する水の温度を検出する入水温度センサ３６、冷媒水熱交換器３１で加熱された湯の温度を検出する沸き上げ温度センサ３７とを備え、蒸発器３１で吸熱した冷媒を圧縮機２８で圧縮して冷媒水熱交換器２９を介して水を加熱するようにしている。このヒートポンプ式加熱手段２９には冷媒として二酸化炭素冷媒が用いられ、高圧側が超臨界状態となることにより水を９０℃の高温まで加熱することができるものである。
【００１８】
３８は台所近傍等に設けられるメインリモコンで、給湯機に関する各種の情報（給湯設定温度、ふろ設定温度、タンク残湯量、給湯機の作動状態等）を表示する表示器３９と、浴槽１６へ設定された量の湯張りをしたのち予め設定した時間だけふろ設定温度に保温するふろ自動運転の機能が割り当てられたふろ自動スイッチ４０と、浴室内のふろリモコン４４とインターホン通話する機能が割り当てられた通話スイッチ４１と、予め定められた各種の設定を変更したり、予め定められた機能の運転を行わせるメニューを呼び出すためのメニュースイッチ４２と、メニュースイッチ４２との組み合わせ等により給湯設定温度およびふろ設定温度を設定操作するための変更設定スイッチ４３と、ユーザーが好みの機能を割り当てられるカスタマイズ用操作スイッチ（上）４４と、カスタマイズ用操作スイッチ（下）４５を備えている。
【００１９】
このカスタマイズ用操作スイッチ（上）４４と、カスタマイズ用操作スイッチ（下）４５には、デフォルトでは機能が割り当てられていないもので、カスタマイズ用操作スイッチ（上）４４には、割り当てられた機能を示す表示部として温度上昇を連想させるマーク（例えば上三角印）またはカラー（暖色系、例えば赤色）が予め印刷によって付与され、カスタマイズ用操作スイッチ（下）４５には、割り当てられた機能を示す表示部として温度低下を連想させるマーク（例えば下三角印）またはカラー（寒色系、例えば青色）が予め印刷によって付与されているものである。
【００２０】
４６は浴室内に設けられるふろリモコンで、給湯機およびふろに関する各種の情報（給湯設定温度、ふろ設定温度、タンク残湯量、ふろ設定湯量、給湯機の作動状態等）を表示する表示器４７と、浴槽１６へ設定された量の湯張りをしたのち予め設定した時間だけふろ設定温度に保温するふろ自動運転の機能が割り当てられたふろ自動スイッチ４８と、浴槽１６内の浴槽水をふろ設定温度に沸き上げる機能が割り当てられた追いだきスイッチ４９と、浴室外のメインリモコン３８とインターホン通話する機能が割り当てられた通話スイッチ５０と、給湯設定温度を変更する優先権を設定する機能が割り当てられた浴室優先スイッチ５１と、予め定められた各種の設定を変更したり、予め定められた機能の運転を行わせるメニューを呼び出すためのメニュースイッチ５２と、メニュースイッチ５２との組み合わせにより給湯設定温度およびふろ設定温度を設定操作するための変更設定スイッチ５３と、ユーザーが好みの機能を割り当てられるカスタマイズ用操作スイッチ（上）５４と、カスタマイズ用操作スイッチ（下）５５とを備えている。
【００２１】
このカスタマイズ用操作スイッチ（上）５４と、カスタマイズ用操作スイッチ（下）５５には、デフォルトでは機能が割り当てられていないもので、カスタマイズ用操作スイッチ（上）５４には、割り当てられた機能を示す表示部として温度上昇を連想させるマーク（例えば上三角印）またはカラー（暖色系、例えば赤色）が予め印刷によって付与され、カスタマイズ用操作スイッチ（下）５５には、割り当てられた機能を示す表示部として温度低下を連想させるマーク（例えば下三角印）またはカラー（寒色系、例えば青色）が予め印刷によって付与されているものである。
【００２２】
５６は、給湯温度センサ１０、給湯流量センサ１１、湯張り温度センサ１２、湯張り流量センサ１３、ふろ温度センサ２３、ふろ水位センサ２４、貯湯温度センサ２７の検出値が入力され、給湯混合弁５、ふろ混合弁８、ふろ循環ポンプ１９、湯張り開閉弁２０、ふろ三方弁２２の作動を制御すると共に、メインリモコン３８、ふろリモコン４６およびヒートポンプ式加熱手段２９とと通信可能に接続された貯湯ユニット制御手段である。この貯湯側制御手段５６は、予め給湯機の作動を制御するためのプログラムが記憶されていると共に、演算、比較、記憶機能、時計機能を有しているものである。
【００２３】
５７は、入水温度センサ３６、沸き上げ温度センサ３７の検出値が入力され、、圧縮機３０、減圧器３２、送風手段３４、加熱循環ポンプ３５の作動を制御すると共に、貯湯側制御手段５６と通信可能に接続された加熱側制御手段である。この加熱側制御手段５７は、予めヒートポンプ式加熱手段２９の作動を制御するためのプログラムが記憶されているものである。
【００２４】
＜沸き上げ運転＞
電力料金単価の安価な所定時間帯（深夜時間帯）の開始時刻になると、貯湯側制御手段５６はそれまでの給湯負荷量に見合う湯量を沸き上げ開始するべく、加熱側制御手段５７に対し、給湯負荷量に見合う沸き上げ目標温度と沸き上げ開始の指示を送信し、加熱側制御手段５７は圧縮機３０と減圧器３２と送風手段３４と加熱循環ポンプ３５を駆動開始して、貯湯タンク１下部から取り出した湯水を冷媒水熱交換器３１で沸き上げ目標温度まで加熱して貯湯タンク１上部へ戻し、貯湯タンク１上部から沸き上げ設定温度の湯を積層状に貯湯し、貯湯側制御手段５６は最下部の貯湯温度センサ２８が所定の沸き上げ終了判定温度を検出するか、所定時間帯の終了時刻に到達すると、加熱側制御手段５７に沸き上げの停止を指示し、加熱側制御手段５７は圧縮機３０と減圧器３２と送風手段３４と加熱循環ポンプ３５を駆動停止して沸き上げ運転を終了する。
【００２５】
＜給湯＞
給湯栓７が開かれると、貯湯タンク１の底部に給水管２から市水が流入すると共に貯湯タンク１の頂部から出湯管３を介して高温の湯が出湯し、給湯混合弁５で給水バイパス管４からの水と混合されて給湯管６を通過する。そして、給湯流量センサ１１が最低作動水量以上を検出すると、加熱側制御手段５６は、給湯温度センサ１０が検出する温度が給湯設定温度と一致するように給湯混合弁５の弁開度をフィードバック制御して、給湯設定温度の給湯を行う。そして、給湯栓７が閉じられる等によって、給湯流量センサ１１が最低作動水量未満を検出すると、貯湯側制御手段５６は、給湯混合弁５の弁開度のフィードバック制御を停止して給湯停止するようにしている。
【００２６】
＜沸き増し運転＞
次に、深夜時間帯以外の時間帯において、多量に給湯されるなどして貯湯側制御手段５６が貯湯温度センサ２７の検出温度に基づき貯湯タンク１内の貯湯量が少なくなったことを検出すると、貯湯側制御手段５６は、加熱側制御手段５７に対し、沸き上げ目標温度と沸き増し開始の指示を送信し、加熱側制御手段５７は圧縮機３０と減圧器３２と送風手段３４と加熱循環ポンプ３５を駆動開始して、貯湯タンク１下部から取り出した湯水を冷媒水熱交換器３１で沸き上げ目標温度まで加熱して貯湯タンク１上部へ戻し、それまで貯湯されていた湯の上部に沸き上げ目標温度の湯を積層状に貯湯し、貯湯側制御手段５６は沸き増しの開始から一定時間が経過すると、加熱側制御手段５７に沸き増しの停止を指示し、加熱側制御手段５７は圧縮機３０と減圧器３２と送風手段３４と加熱循環ポンプ３５を駆動停止して沸き増し運転を終了する。
【００２７】
＜ふろ自動運転＞
次に、ふろ自動運転について説明する。メインリモコン３８またはふろリモコン４６のふろ自動スイッチ４０、４８の何れかが操作されると、貯湯側制御手段５６は、湯張り開閉弁２０を開弁し、湯張り温度センサ１２が検出する温度がふろ設定温度と一致するようにふろ混合弁８の弁開度をフィードバック制御して、ふろ設定温度の湯張りを開始する。
【００２８】
そして、貯湯側制御手段５６は、湯張り流量センサ１３で検出するふろ流量の積算値がふろ設定湯量となると、湯張り開閉弁２０を閉弁して湯張りを停止し、ふろの保温運転を行う。
【００２９】
ふろの保温運転では、一定時間毎にふろ三方弁２２をバイパス側にしたままでふろ循環ポンプ１９を駆動してふろ温度センサ２３で浴槽水の温度を確認し、ふろ設定温度より低くなっていることを検知すると、ふろ三方弁２２をふろ熱交換器１７側へ切り換えて、浴槽水をふろ熱交換器１７で加熱する。そして、ふろ温度センサ２３で浴槽水の温度がふろ設定温度より上昇したことを確認すると、ふろ三方弁２２をバイパス側に戻すと共にふろ循環ポンプ１９の駆動を停止する。
【００３０】
また、貯湯側制御手段５６は、湯張り停止時の浴槽１６内の水位をふろ水位センサ２４の検出値に基づいて記憶し、浴槽１６内の水位が記憶した水位から低下すると、元の水位になるまで湯張りするふろ補水運転を行う。
【００３１】
そして、湯張りの開始から予め設定されたふろ自動保温時間が経過すると、ふろの保温運転およびふろ補水運転も停止する。
【００３２】
＜追いだき＞
次に、ふろ追いだき運転について説明する。ふろリモコン４６の追いだきスイッチ４９またはメインリモコン３８のメニュー内から追いだき指示操作がされると、貯湯側制御手段５６は、ふろ三方弁２２をバイパス側にしたままでふろ循環ポンプ１９を駆動してふろ温度センサ２３で浴槽水の温度を確認し、ふろ設定温度＋αより低くなっていることを検知すると、ふろ三方弁２２をふろ熱交換器１７側へ切り換えて、浴槽水をふろ熱交換器１７で加熱する。そして、ふろ温度センサ２３で浴槽水の温度がふろ設定温度＋αより上昇したことを確認すると、ふろ三方弁２２をバイパス側に戻すと共にふろ循環ポンプ１９の駆動を停止して、ふろ追いだき運転を終了する。
【００３３】
＜通話＞
次に、メインリモコン３８またはふろリモコン４６の通話スイッチ４１、５０の何れかが操作されると、メインリモコン３８の図示しないスピーカおよびマイクと、ふろリモコン４６の図示しないスピーカおよびマイクによって、メインリモコン３８とふろリモコン４６の間で相互に通話可能な通話状態に制御し、通話設定時間の経過で通話状態を終了する。
【００３４】
＜浴室優先＞
ふろリモコン４６の浴室優先スイッチ５１は、給湯設定温度を決定する優先権をふろリモコン４６とメインリモコン３８のどちらに設定するかを切り換えるスイッチであり、浴室優先スイッチ５１が操作されると、ふろリモコン４６に給湯設定温度を変更する権利を付与し、メインリモコン３８では給湯設定温度を変更不可とし、再度浴室優先スイッチ５１が操作されると、メインリモコン３８に給湯設定温度を変更する権利を付与し、ふろリモコン４６では給湯設定温度を変更不可とするもので、給湯設定温度を決定する権利をメインリモコン３８とふろリモコン４６とで択一的に付与するものである。
【００３５】
＜給湯設定温度＞
次に、給湯設定温度の変更の仕方について説明すると、操作したいリモコン側に優先権がない場合、浴室優先スイッチ５１の操作によって操作したいリモコンに優先権を付与した後、変更設定スイッチ４３、５３の上三角マーク側の操作によって給湯設定温度を上昇させ、変更設定スイッチ４３、５３の下三角マーク側の操作によって給湯設定温度を下降させるよう変更操作可能としているものである。なお、優先権がない場合は、変更設定スイッチ４３、５３を操作しても給湯設定温度は変更されない。
【００３６】
＜メインリモコンメニュー＞
次に、メインリモコン３８のメニュースイッチ４２が操作された場合について図３に基づいて説明すると、メニュースイッチ４２が操作される毎に、使用湯量、ふろ予約、タンク湯増し、今日の湯増し休止、ふろ配管洗浄、運転休止、ふろ設定温度、ふろ設定湯量、ふろ保温時間の各メニューが表示器３９に順次表示され、設定または指示したい機能が表示されている状態で変更設定スイッチ４３が操作されると、その機能についての設定変更または動作指示が行われるものである。
【００３７】
＜使用湯量＞
メインリモコン３８のメニュースイッチ４２と変更設定スイッチ４３の操作によって、使用湯量が選択されると、メインリモコン３８の表示器３９には、過去１週間分の使用湯量と本日の使用湯量がグラフ状に表示され、ユーザーが使用湯量を把握可能として、省エネ意識の向上に資することができる。ここで、使用湯量は、給湯や浴槽への湯張りで消費された熱量を所定温度の湯量換算したもので、給湯設定温度やふろ設定温度が変更されても同一の物差しで比較することを可能としている。
【００３８】
＜ふろ予約＞
メニュースイッチ４２と変更設定スイッチ４３の操作によって、ふろ予約が選択されると、メインリモコン３８の表示器３９には、ふろ自動運転を開始する時刻（ふろ予約時刻）が表示され、変更設定スイッチ４３の操作によってふろ予約時刻の変更設定と、ふろ予約運転の開始指示あるいは停止指示が可能としている。そして、貯湯側制御手段５６は、ふろ予約が設定されている状態で現在時刻がふろ予約時刻となると、ふろ自動運転を開始するようにしている。
【００３９】
＜タンク湯増し＞
メニュースイッチ４２と変更設定スイッチ４３の操作によって、タンク湯増しが選択指示されると、貯湯側制御手段５６は前記の沸き増し運転を開始する。このとき、メインリモコン３８およびふろリモコン４６の表示器３９、４７には、タンク湯増し中の旨が表示される。
【００４０】
＜今日の湯増し休止＞
メニュースイッチ４２と変更設定スイッチ４３の操作によって、今日の湯増し休止が選択指示されると、貯湯側制御手段５６は、貯湯温度センサ２７の検出温度に基づき貯湯タンク１内の貯湯量が少なくなったことを検出しても、沸き増し運転を行わせない沸き増し休止状態とし、深夜時間帯の開始時刻となると、沸き増し休止設定を解除するようにしている。
【００４１】
＜ふろ配管洗浄＞
メニュースイッチ４２と変更設定スイッチ４３の操作によって、ふろ配管洗浄が選択指示されると、貯湯側制御手段５６は、ふろ三方弁２２をふろバイパス管２１側にしたまま湯張り開閉弁２０を開き、新しい湯水でふろ循環回路１８内の残留水を排水させた後、ふろ三方弁２２をふろ熱交換器１７側に切り換えてふろ熱交換器１７内の残留水を排水させ、湯張り流量センサ１３が一定量をカウントすると、ふろ三方弁２２をふろバイパス管側２１側に戻すと共に、湯張り開閉弁２０を閉じるふろ配管洗浄動作を行う。
【００４２】
＜運転休止＞
メニュースイッチ４２と変更設定スイッチ４３の操作によって、運転休止が選択されると、メインリモコン３８の表示器３９に休止設定日数が表示され、変更設定スイッチ４３の操作によって休止設定日数を２〜１５日または０日の間で変更可能とし、２〜１５日の間で設定されると、その設定された日数より１日少ない日数の間だけ、深夜時間帯の沸き上げ動作および深夜時間帯以外の沸き増し動作を休止させる。
【００４３】
＜ふろ設定温度＞
メニュースイッチ４２と変更設定スイッチ４３の操作によって、ふろ設定温度が選択されると、メインリモコン３８の表示器３９にふろ設定温度が表示され、変更設定スイッチ４３の操作によってふろ設定温度を３２〜４５℃の範囲で変更可能としている。
【００４４】
＜ふろ設定湯量＞
メニュースイッチ４２と変更設定スイッチ４３の操作によって、ふろ設定湯量が選択されると、メインリモコン３８の表示器３９にふろ設定湯量が表示され、変更設定スイッチ４３の操作によってふろ設定湯量を１００〜３００リットルの範囲で変更可能としている。
【００４５】
＜ふろ保温時間＞
メニュースイッチ４２と変更設定スイッチ４３の操作によって、ふろ保温時間が選択されると、メインリモコン３８の表示器３９にふろ保温時間が表示され、変更設定スイッチ４３の操作によってふろ保温時間を０〜４時間（１時間単位）の範囲で変更可能としている。なお、ふろ保温時間が０時間に設定されると、ふろ自動運転において、ふろ保温運転を行わない。
【００４６】
＜スイッチカスタマイズ＞
次に、メニュースイッチ４２と変更設定スイッチ４３の操作によって、スイッチカスタマイズが選択されると、メインリモコン３８のカスタマイズ用操作スイッチ（上）４４とカスタマイズ用操作スイッチ（下）４５の機能割り当て設定モードとなる。
【００４７】
この機能割り当て設定モードを図４のフローチャートに基づいて説明する。
機能割り当て設定モードでは、ステップＳ１で機能割り当てをしたいカスタマイズ用操作スイッチ（上）４４が操作されたかを判断し、カスタマイズ用操作スイッチ（上）４４が操作されると、ステップＳ２で、変更設定スイッチ４３の操作に応じて、ふろ予約、タンク湯増し、ふろ配管洗浄、ふろ設定温度上昇、使用量、ふろ設定湯量、ふろ保温時間の何れかの機能を表示器３９に表示させる。
【００４８】
ここで、選択表示される機能は予め決められており、メインリモコン３８のメニュースイッチ４２の操作で表示されるメインリモコンメニューに盛り込まれた機能のうち、温度低下を連想させる機能を除いた機能が選択表示されるべくメインリモコン３８の図示しないマイコンに記憶されている。このようにしてカスタマイズ用操作スイッチ（上）４４には、温度低下を連想させる機能の割り当てを禁止している。
【００４９】
そして、ステップＳ２でカスタマイズ用操作スイッチ（上）４４に割り当てたい機能を表示器３９へ表示した状態で、メニュースイッチ４２が操作されると（ステップＳ３でＹｅｓ）、カスタマイズ用操作スイッチ（上）４４に選択した機能が割り当てられ、図示しない不揮発性メモリに記憶される。
【００５０】
なお、カスタマイズ用操作スイッチ（上）４４に割り当てられる機能のうち、ふろ設定温度上昇が割り当てられた場合は、強制的にカスタマイズ用操作スイッチ（下）４５にふろ設定温度低下が割り当てられるようにし、ふろ設定温度の上昇のみしかできない操作体系にならないようにしているものである。
【００５１】
一方、ステップＳ４で機能割り当てをしたいカスタマイズ用操作スイッチ（下）４５が操作されたかを判断し、カスタマイズ用操作スイッチ（下）４５が操作されると、ステップＳ５で、変更設定スイッチ４３の操作に応じて、今日の湯増し休止、運転休止、ふろ設定温度低下、使用量、ふろ設定湯量、ふろ保温時間の何れかの機能を表示器３９に表示させる。
【００５２】
ここで、選択表示される機能は予め決められており、メインリモコン３８のメニュースイッチ４２の操作で表示されるメインリモコンメニューに盛り込まれた機能のうち、温度上昇を連想させる機能を除いた機能が選択表示されるべくメインリモコン３８の図示しないマイコンに記憶されている。このようにしてカスタマイズ用操作スイッチ（下）４５には、温度上昇を連想させる機能の割り当てを禁止している。
【００５３】
そして、ステップＳ６でカスタマイズ用操作スイッチ（下）４５に割り当てたい機能を表示器３９へ表示した状態で、メニュースイッチ４２が操作されると（ステップＳ７でＹｅｓ）、カスタマイズ用操作スイッチ（下）４５に選択した機能が割り当てられ、図示しない不揮発性メモリに記憶される。
【００５４】
そして、操作なしが一定時間継続すると（ステップＳ７でＹｅｓ）、機能割り当て設定モードを抜けてスイッチカスタマイズを終了する。
【００５５】
なお、カスタマイズ用操作スイッチ（下）４５に割り当てられる機能のうち、ふろ設定温度低下が割り当てられた場合は、強制的にカスタマイズ用操作スイッチ（上）４４にふろ設定温度上昇が割り当てられるようにし、ふろ設定温度の低下のみしかできない操作体系にならないようにしているものである。
【００５６】
そして、ユーザーは、カスタマイズ用操作スイッチ（上）４４、およびカスタマイズ用操作スイッチ（下）４５に割り当てた機能を示すシール（割り当てられた機能を示す表示部）を、それぞれカスタマイズ用操作スイッチ（上）４４、およびカスタマイズ用操作スイッチ（下）４５に貼着することで、ユーザーがよく使う機能をダイレクトに操作できる操作体系を提供することができる。
【００５７】
なお、カスタマイズ用操作スイッチ（上）（下）４４、４５に割り当てた機能は、メインリモコンメニュー内から消去し、メニュースイッチ４２の操作時には表示しないようにしている。
【００５８】
＜ふろリモコンメニュー＞
次に、ふろリモコン４６のメニュースイッチ５２が操作された場合について図５に基づいて説明すると、メニュースイッチ５２が操作される毎に、ふろ設定温度、ふろ設定湯量、ふろ予約、たし湯、さし水、高温さし湯、ふろ保温時間、シャワー可能時間、タンク湯増し、今日の湯増し休止、ふろ配管洗浄の各メニューが表示器４７に順次表示され、設定または指示したい機能が表示されている状態で変更設定スイッチ５３が操作されると、その機能についての設定変更または動作指示が行われるものである。
【００５９】
ここで、ふろ設定温度、ふろ設定湯量、ふろ予約、ふろ保温時間、タンク湯増し、今日の湯増し休止、ふろ配管洗浄の各機能については、ふろリモコン４６のメニュースイッチ５２と変更設定スイッチ５３で操作する以外、メインリモコン３８での操作と全く同じため、その説明を省略する。
【００６０】
＜たし湯＞
次に、ふろリモコン４６のメニュースイッチ５２と変更設定スイッチ５３の操作によって、たし湯が選択されると、貯湯側制御部５６は、ふろ設定温度の湯を予め決められた一定量たし湯するべく、湯張り開閉弁２０を開き、ふろ混合弁８でふろ設定温度に混合した湯をふろ循環回路１８を介して浴槽１６へ供給し、湯張り流量センサ１３で一定量をカウントすると湯張り開閉弁２０を閉じてたし湯を停止する。
【００６１】
＜さし水＞
メニュースイッチ５２と変更設定スイッチ５３の操作によって、さし水が選択されると、貯湯側制御部５６は、３０℃に調整された湯水を予め決められた一定量さし水するべく、湯張り開閉弁２０を開き、ふろ混合弁８で３０℃に混合した湯をふろ循環回路１８を介して浴槽１６へ供給し、湯張り流量センサ１３で一定量をカウントすると湯張り開閉弁２０を閉じてさし水を停止する。
【００６２】
＜高温さし湯＞
メニュースイッチ５２と変更設定スイッチ５３の操作によって、高温さし湯が選択されると、貯湯側制御部５６は、６０℃に調整された湯を予め決められた一定量高温さし水するべく、湯張り開閉弁２０を開き、ふろ混合弁８で６０℃に混合した湯をふろ循環回路１８を介して浴槽１６へ供給し、湯張り流量センサ１３で一定量をカウントすると湯張り開閉弁２０を閉じて高温さし湯を停止する。
【００６３】
＜シャワー可能時間＞
メニュースイッチ５２と変更設定スイッチ５３の操作によって、シャワー可能時間が選択されると、貯湯側制御部５６は、貯湯タンク１内の貯湯熱量を貯湯温度センサ２７によって検出し、給湯設定温度での湯量に換算し、これをシャワー流量として予め設定してある所定流量で除して、シャワーを続けられる時間を算出し、ふろリモコン４６の表示器４７に一定時間表示する。
【００６４】
＜スイッチカスタマイズ＞
次に、メニュースイッチ５２と変更設定スイッチ５３の操作によって、スイッチカスタマイズが選択されると、ふろリモコン４６のカスタマイズ用操作スイッチ（上）５４とカスタマイズ用操作スイッチ（下）５５の機能割り当て設定モードとなる。
【００６５】
この機能割り当て設定モードを図６のフローチャートに基づいて説明する。
機能割り当て設定モードでは、ステップＳ１１で機能割り当てをしたいカスタマイズ用操作スイッチ（上）５４が操作されたかを判断し、カスタマイズ用操作スイッチ（上）５４が操作されると、ステップＳ１２で、変更設定スイッチ５３の操作に応じて、ふろ設定温度上昇、高温さし湯、たし湯、ふろ予約、タンク湯増し、ふろ配管洗浄、シャワー可能時間、ふろ設定湯量、ふろ保温時間の何れかの機能を表示器４７に表示させる。
【００６６】
ここで、選択表示される機能は予め決められており、ふろリモコン４６のメニュースイッチ５２の操作で表示されるふろリモコンメニューに盛り込まれた機能のうち、温度低下を連想させる機能を除いた機能が選択表示されるべくふろリモコン４６の図示しないマイコンに記憶されている。このようにしてカスタマイズ用操作スイッチ（上）５４には、温度低下を連想させる機能の割り当てを禁止している。
【００６７】
そして、ステップＳ１２でカスタマイズ用操作スイッチ（上）５４に割り当てたい機能を表示器４７へ表示した状態で、メニュースイッチ５２が操作されると（ステップＳ１３でＹｅｓ）、カスタマイズ用操作スイッチ（上）５４に選択した機能が割り当てられ、図示しない不揮発性メモリに記憶される。
【００６８】
なお、カスタマイズ用操作スイッチ（上）５４に割り当てられる機能のうち、ふろ設定温度上昇が割り当てられた場合は、強制的にカスタマイズ用操作スイッチ（下）５５にふろ設定温度低下が割り当てられるようにし、ふろ設定温度の上昇のみしかできない操作体系にならないようにしているものである。
【００６９】
一方、ステップＳ１４で機能割り当てをしたいカスタマイズ用操作スイッチ（下）５５が操作されたかを判断し、カスタマイズ用操作スイッチ（下）５５が操作されると、ステップＳ１５で、変更設定スイッチ５３の操作に応じて、ふろ温度低下、さし水、今日の湯増し休止、運転休止、シャワー可能時間、ふろ設定湯量、ふろ保温時間の何れかの機能を表示器３９に表示させる。
【００７０】
ここで、選択表示される機能は予め決められており、ふろリモコン４６のメニュースイッチ５２の操作で表示されるふろリモコンメニューに盛り込まれた機能のうち、温度上昇を連想させる機能を除いた機能が選択表示されるべくふろリモコン４６の図示しないマイコンに記憶されている。このようにしてカスタマイズ用操作スイッチ（下）５４には、温度上昇を連想させる機能の割り当てを禁止している。
【００７１】
そして、ステップＳ１６でカスタマイズ用操作スイッチ（下）５５に割り当てたい機能を表示器４７へ表示した状態で、メニュースイッチ５２が操作されると（ステップＳ１７でＹｅｓ）、カスタマイズ用操作スイッチ（下）５５に選択した機能が割り当てられ、図示しない不揮発性メモリに記憶される。
【００７２】
そして、操作なしが一定時間継続すると（ステップＳ１７でＹｅｓ）、機能割り当て設定モードを抜けてスイッチカスタマイズを終了する。
【００７３】
なお、カスタマイズ用操作スイッチ（下）５５に割り当てられる機能のうち、ふろ設定温度低下が割り当てられた場合は、強制的にカスタマイズ用操作スイッチ（上）５４にふろ設定温度上昇が割り当てられるようにし、ふろ設定温度の低下のみしかできない操作体系にならないようにしているものである。
【００７４】
そして、ユーザーは、カスタマイズ用操作スイッチ（上）５４、およびカスタマイズ用操作スイッチ（下）５５に割り当てた機能を示すシールを、それぞれカスタマイズ用操作スイッチ（上）５４、およびカスタマイズ用操作スイッチ（下）５５に貼着することで、ユーザーがよく使う機能をダイレクトに操作できる操作体系を提供することができる。
【００７５】
なお、カスタマイズ用操作スイッチ（上）（下）５４、５５に割り当てた機能は、ふろリモコンメニュー内から消去し、メニュースイッチ５２の操作時には表示しないようにしている。
【００７６】
このように、ユーザーがよく使う機能を指定して給湯機用リモコン装置の前面に露出しているカスタマイズ用操作スイッチに割り当てられるため、ユーザーがよく使う機能をダイレクトに操作でき、従来は多様なユーザーの嗜好に合わせて必須でない機能が割り当てられた多数の操作スイッチを設けなければならなかったのが、必須でない機能が割り当てられた操作スイッチの数を減らすことができて、給湯機用リモコン装置のスイッチ全体の配置が理解しやすくなって操作性を向上させることができると共に、万一、機能を示す表示部が不調になったり、表示シールが剥がれてしまったりして、割り当てられている機能と、表示されている機能が異なっている場合または割り当てられている機能がわからなくなった場合でも、一方のカスタマイズ用操作スイッチには温度低下を連想させる機能の割り当てが禁止され、かつ他方のカスタマイズ用操作スイッチには温度上昇を連想させる機能の割り当てが禁止されているため、一方のカスタマイズ用操作スイッチの操作では常に温度低下方向の動作が行われることがなく、また他方のカスタマイズ用操作スイッチの操作では常に温度上昇方向の動作が行われることがなく、機能を示す表示部が不調になったり、表示シールが剥げても予期しない高温の湯が供給されたり、予期しない低温の水が供給されたりすることがなく安心して使用することができるものである。
【００７７】
なお、本発明は上記の実施形態に限定されるものではなく、発明の要旨を変更しない範囲で改変が可能なものであり、例えば、前記二つのカスタマイズ用操作スイッチの一方はデフォルトで、温度上昇を連想させる機能が割り当てられ、他方はデフォルトで、温度低下を連想させる機能が割り当てられていてもよいもく、この場合、カスタマイズ用操作スイッチには、割り当てられた機能を示す表示部としてデフォルトで割り当てられた機能を示す名称が予め印刷されていてもよいものである。
【００７８】
また、カスタマイズ用操作スイッチを、給湯機用リモコン装置として備えているメインリモコンとふろリモコンの両方に設けた構成で説明したが、どちらか一方のリモコンのみに設けた構成としてもよく、さらに、温度上昇を連想させる機能、温度低下を連想させる機能、およびどちらでもない機能として挙げた機能は、一例として挙げたものであって、実施形態の機能のみに限定されるものではなく、機能名称ではなく実質的な動作によって温度上昇するものか、温度低下するものかによって判断されるものである。
【００７９】
また、熱源としてヒートポンプを利用した貯湯式給湯機を例に説明したが、熱源としては電気ヒータを利用した貯湯式給湯機や熱源として石油燃焼、ガス燃焼を利用した瞬間式の給湯機でもよいものである。
【符号の説明】
【００８０】
３８  メインリモコン
４０  ふろ自動スイッチ
４１  通話スイッチ
４２  メニュースイッチ
４３  変更設定スイッチ
４４  カスタマイズ用操作スイッチ（上）
４５  カスタマイズ用操作スイッチ（下）
４６  ふろリモコン
４８  ふろ自動スイッチ
４９  追いだきスイッチ
５０  通話スイッチ
５１  浴室優先スイッチ
５２  メニュースイッチ
５３  変更設定スイッチ
５４  カスタマイズ用操作スイッチ（上）
５５  カスタマイズ用操作スイッチ（下）
【図１】
0005859910.tif 000002
【図２】
0005859910.tif 000003
【図３】
0005859910.tif 000004
【図４】
0005859910.tif 000005
【図５】
0005859910.tif 000006
【図６】
0005859910.tif 000007